(57)【要約】      （修正有）【課題】点滴灌漑用チューブ内の液体の温度が原因となる前記液体の吐出量のバラツキを抑制できるエミッタおよび点滴灌漑用チューブを提供する。【解決手段】チューブ１１０内の前記液体を取り込む取込部、前記液体の吐出量を調整する調整部、液体をチューブ１１０の吐出口を介して吐出する吐出部、取込部と調整部とを連通する流路を有するエミッター１２０である。調整部は、凹部およびフィルムを有し、フィルムは、凹部の内部空間を覆う状態で固定され、凹部の内部空間を覆う領域がダイヤフラム部であり、凹部は、吐出部と連通する貫通孔、および貫通孔と連通する複数のスリットを有し、貫通孔の上面側開口を形成する縁部が、複数のスリットを除き、前記フィルムに対する弁座部であり；フィルムのダイヤフラム部が弁座部に接触すると、フィルムと前記各スリットとにより、貫通孔への連通口が形成され、且つ、各スリットが、前記貫通孔への流路となる。【選択図】図１
2018201425.tif 000002
【特許請求の範囲】
【請求項１】
吐出口を有するチューブの内壁に配置され、前記吐出口を介した前記チューブ内から前記チューブ外への灌漑用液体の吐出を調整するエミッタであり、
前記チューブ内の前記液体を内部に取り込む取込部、
前記取り込んだ液体の吐出量を調整する調整部、
前記取り込んだ液体を、前記チューブの吐出口を介して吐出する吐出部、および、
前記取込部と前記調整部とを連通する流路を有し；
前記調整部は、
凹部、およびフィルムを有し、
前記フィルムは、
前記凹部の内部空間を覆う状態で固定されており、
前記凹部の内部空間を覆う領域が、ダイヤフラム部であり、
前記凹部は、
前記吐出部と連通する貫通孔、および前記貫通孔と連通する複数のスリットを有し、
前記貫通孔の上面側開口を形成する縁部が、前記複数のスリットを除き、前記フィルムに対する弁座部であり；
前記エミッタが前記チューブ内に配置された状態において、前記フィルムのダイヤフラム部は、
前記チューブ内に前記液体が存在しない場合、前記弁座部に非接触であり、
前記チューブ内に前記液体が存在する場合、前記液体の圧力に応じて、前記弁座部に接触可能であり；
前記フィルムのダイヤフラム部が前記弁座部に接触すると、前記フィルムと前記各スリットとにより、前記貫通孔への連通口が形成され、且つ、前記各スリットが、前記貫通孔への流路となり、
条件（１）および条件（２）の少なくとも一方を満たすことを特徴とするエミッタ。
条件（１）：スリットが１本である場合に必要な、前記フィルムと前記スリットとにより形成される前記連通口の断面積を１とした場合、前記フィルムと前記各スリットとにより形成される前記貫通孔への連通口の各断面積が、１未満である。
条件（２）：前記貫通孔への各流路のレイノルズ数が、１５００以下である。
【請求項２】
前記ダイヤフラム部が、熱可塑性樹脂製である、請求項１記載のエミッタ。
【請求項３】
前記熱可塑性樹脂が、ポリエチレンである、請求項２記載のエミッタ。
【請求項４】
チューブと、エミッタとを有し、
前記エミッタは、請求項１から３のいずれか一項に記載のエミッタであり、
前記チューブは、灌漑用液体を吐出する吐出口を有し、
前記エミッタは、前記チューブの内壁であって、前記吐出口を有する部位に配置されており、
前記エミッタにおける吐出部と、前記チューブにおける前記吐出口が対応していることを特徴とする点滴灌漑用チューブ。
【発明の詳細な説明】
【技術分野】
【０００１】
本発明は、エミッタおよびそれを有する点滴灌漑用チューブに関する。
【背景技術】
【０００２】
植物の栽培において、点滴灌漑法が知られている。点滴灌漑法とは、土壌に点滴灌漑用チューブを配置し、前記チューブから土壌へ、水および液体肥料等の灌漑用液体を滴下する方法である。近年、地球の温暖化による砂漠化、水資源の枯渇等が問題となっており、点滴灌漑法は、灌漑用液体の消費量を最小限にすることが可能であるため、特に注目されている。
【０００３】
前記点滴灌漑用チューブは、通常、灌漑用液体が吐出される複数の貫通孔を有するチューブと、前記各貫通孔から灌漑用液体を吐出するための複数のエミッタ（「ドリッパ」ともいう）とを有する。エミッタの種類として、例えば、チューブの内壁面に接合して使用するエミッタ（例えば、特許文献１参照）が知られている。
【０００４】
前記エミッタは、チューブから液体を取込む取込部と、前記エミッタ内で液体を減圧しながら流す減圧流路と、前記減圧流路を流れてきた液体を、前記チューブ内の液体の圧力に応じて、前記エミッタを介して前記チューブから吐出される液体の吐出量を調整する調整部を含む。前記調整部は、前記チューブ内の液体の圧力に応じて変形するダイヤフラムが利用され、前記ダイヤフラムは、例えば、シリコーンゴム膜等の弾性を有するフィルム等が使用されている。
【０００５】
前記エミッタによれば、前記チューブ内の圧力に応じて吐出量を調整できることから、例えば、チューブ内を流れる液体の圧力が変動した場合や、チューブ内の位置によって液体の圧力が異なる場合であっても、ばらつきのない液体の吐出が可能になる。
【先行技術文献】
【特許文献】
【０００６】
【特許文献１】特開２０１０−０４６０９４号公報
【発明の概要】
【発明が解決しようとする課題】
【０００７】
しかしながら、本発明者らは、新たに、前記チューブ内の液体の温度によっても、吐出量にバラツキが生じるとの知見を得た。
【０００８】
そこで、本発明の目的は、点滴灌漑用チューブ内の液体の温度が原因となる前記液体の吐出量のバラツキを抑制できるエミッタおよび点滴灌漑用チューブを提供することである。
【課題を解決するための手段】
【０００９】
前記目的を達成するために、本発明のエミッタは、
吐出口を有するチューブの内壁に配置され、前記吐出口を介した前記チューブ内から前記チューブ外への灌漑用液体の吐出を調整するエミッタであり、
前記チューブ内の前記液体を内部に取り込む取込部、
前記取り込んだ液体の吐出量を調整する調整部、
前記取り込んだ液体を、前記チューブの吐出口を介して吐出する吐出部、および、
前記取込部と前記調整部とを連通する流路を有し；
前記調整部は、
凹部、およびフィルムを有し、
前記フィルムは、
前記凹部の内部空間を覆う状態で固定されており、
前記凹部の内部空間を覆う領域が、ダイヤフラム部であり、
前記凹部は、
前記吐出部と連通する貫通孔、および前記貫通孔と連通する複数のスリットを有し、
前記貫通孔の上面側開口を形成する縁部が、前記複数のスリットを除き、前記フィルムに対する弁座部であり；
前記エミッタが前記チューブ内に配置された状態において、前記フィルムのダイヤフラム部は、
前記チューブ内に前記液体が存在しない場合、前記弁座部に非接触であり、
前記チューブ内に前記液体が存在する場合、前記液体の圧力に応じて、前記弁座部に接触可能であり；
前記フィルムのダイヤフラム部が前記弁座部に接触すると、前記フィルムと前記各スリットとにより、前記貫通孔への連通口が形成され、且つ、前記各スリットが、前記貫通孔への流路となり、
条件（１）および条件（２）の少なくとも一方を満たす。
【００１０】
条件（１）：スリットが１本である場合に必要な、前記フィルムと前記スリットとにより形成される前記連通口の断面積を１とした場合、前記フィルムと前記各スリットとにより形成される前記貫通孔への連通口の各断面積が、１未満である。
条件（２）：前記貫通孔への各流路のレイノルズ数が、１５００以下である。
【００１１】
本発明の点滴灌漑用チューブは、
チューブと、エミッタとを有し、
前記エミッタは、前記本発明のエミッタであり、
前記チューブは、灌漑用液体を吐出する吐出口を有し、
前記エミッタは、前記チューブの内壁であって、前記吐出口を有する部位に配置されており、
前記エミッタにおける吐出部と、前記チューブにおける前記吐出口が対応していることを特徴とする。
【発明の効果】
【００１２】
本発明のエミッタおよび点滴灌漑用チューブによれば、点滴灌漑用チューブ内の液体の温度が原因となる前記液体の吐出量のバラツキを抑制できる。
【図面の簡単な説明】
【００１３】
【図１】図１（Ａ）および（Ｂ）は、実施形態１における点滴灌漑用チューブの概略を示す断面図である。
【図２】図２（Ａ）および（Ｂ）は、実施形態１におけるエミッタの斜視図である。
【図３】図３（Ａ）〜（Ｃ）は、実施形態１におけるエミッタの平面図である。
【図４】図４（Ａ）〜（Ｃ）は、実施形態１におけるエミッタの断面図である。
【図５】図５は、実施形態１のエミッタの動作を説明する模式図である。
【図６】図６は、比較例のエミッタの平面図である。
【図７】図７は、実施例のエミッタと比較例のエミッタの動作を説明する模式図である。
【発明を実施するための形態】
【００１４】
本発明者らは、前記チューブ内の液体の温度によって、前記エミッタの吐出量にバラツキが生じる理由について、鋭意研究を行い、以下のことを見出した。前記エミッタは、液体の圧力に依存する前記フィルムのダイヤフラムのたわみを利用して、吐出量の調節が行われている。しかしながら、前記チューブを通過する液体の温度が、相対的に高くなると、その温度に依存して、前記ダイヤフラムの引張弾性率は、相対的に低くなる。このため、例えば、前記液体の圧力が同じであっても、低温側（例えば、２３℃程度）の液温では、さほどたわまなかったダイヤフラムが、高温側（例えば、４０℃程度）の液温では、たわみが発生し、これによって吐出量が低下することがわかった。そこで、本発明者らは、前記吐出量に与える、前記ダイヤフラムの負の温度依存性を、正の温度依存性を利用することでキャンセルし、吐出量の低下を防止するとの着想を得た。具体的には、液体の流れには、流体が規則正しく運動している流れ「層流」と、液体が不規則に運動する乱れた流れ「乱流」とがあるが、乱流は、液体温度にほとんど依存しないのに対して、層流は、液体温度依存性であり、液温の増加にともなって、流量が増加する。そこで、前記エミッタの前記調整部における、液体が前記貫通孔への流れ込むための前記連通口または前記流路を、前述の条件により、前記調整部において、前記流路から前記連通口を介した前記貫通孔への液体の流れを層流とし、前記ダイヤフラムの負の温度依存性により低下する吐出量を、前記層流の正の温度依存性により補填し、前記吐出量の低下を抑制することを実現した。これによって、本発明のエミッタは、前記チューブ内の液体の温度の影響を抑制して、吐出量の低下を防止できる。
【００１５】
本発明のエミッタは、例えば、前記ダイヤフラム部が、熱可塑性樹脂製である。
【００１６】
本発明のエミッタは、例えば、前記熱可塑性樹脂が、ポリエチレンである。
【００１７】
本発明のエミッタにおいて、前記吐出口と連通する前記貫通孔は、例えば、前記貫通孔の上面開口の周囲が、上方向に突出した凸状であってもよい。以下、前記突出した凸状の領域を、前記貫通孔周囲の「筒状領域」ともいう。この場合、前記筒状領域において、例えば、突出した凸部の上面は、その一部に、前記スリットを有し、凸部の上面において、内側の縁部が、前記スリットを除き、前記フィルムに対する弁座部である。
【００１８】
本発明のエミッタおよび点滴灌漑用チューブは、前記条件（１）および条件（２）の少なくとも一方を満たすことがポイントであり、その他の構成は、特に制限されない。
【００１９】
本発明において、前記条件（１）を満たすエミッタは、前記条件（２）を満たすエミッタということもでき、前記条件（２）を満たすエミッタは、例えば、前記条件（１）を満たすエミッタを含む。
【００２０】
本発明のエミッタおよびこれを備える点滴灌漑用チューブの実施形態について、図を用いて説明する。本発明のエミッタおよび点滴灌漑用チューブは、下記の実施形態によって何ら限定および制限されない。各図において、同一箇所には同一符号を付している。各図においては、説明の便宜上、各部の構造は、適宜、簡略化して示す場合があり、各部の寸法比等は、図の条件には制限されない。
【００２１】
各図において、特に示さない限り、便宜上、「チューブの軸方向」とは、前記チューブの両端の開口を結ぶ方向を意味し、「チューブの上下方向」とは、前記軸方向に垂直であり、且つ、チューブを台上に置いた際の鉛直方向をいう。各図において、特に示さない限り、前記エミッタは、便宜上、チューブの下方向の内壁に配置される状態で示し、前記エミッタの上下方向とは、前記凹部の開口側（前記フィルムが配置される側）が上方向、前記凹部の底面側が下方向といい、前記エミッタの上方向は、エミッタの表面側、前記エミッタの下方向は、前記エミッタの裏面側ともいう。前記エミッタの高さは、前記上下方向の長さ、前記エミッタの長さは、長手方向（前記チューブの軸方向に沿う方向）の長さ、前記エミッタの幅は、前記上下方向および前記長手方向に対する垂直方向（短手方向または幅方向ともいう）の長さをいう。また、前記エミッタにおいて、前記流路の減圧領域は、前記長手方向に向かって伸びる状態で示す。
【００２２】
［実施形態１］
図１は、点滴灌漑用チューブにおけるエミッタの配置状態を示す概略図であり、図１（Ａ）は、前記チューブの軸方向であり且つ上下方向における断面図であり、図１（Ｂ）は、前記チューブの軸方向に対する垂直方向における断面図である。また、実施形態１のエミッタは、前記貫通孔の上面開口の周囲に、前記筒状領域を有する形態である。なお、本発明は、これには制限されず、前記筒状領域を有さなくてもよい。
【００２３】
以下、前記点滴灌漑用チューブおよび前記エミッタの構成について説明し、つぎに、それらの機能および効果について説明する。
【００２４】
点滴灌漑用チューブ１００について、説明する。図１に示すように、点滴灌漑用チューブ１００は、チューブ１１０および複数のエミッタ１２０を有し、チューブ１１０の内部であって、その内壁に、エミッタ１２０が配置されている。
【００２５】
チューブ１１０は、その内部に灌漑用液体を流すための中空管である。チューブ１１０の材料は、特に限定されず、例えば、ポリエチレンである。チューブ１１０の管壁は、チューブ１１０の軸方向において、所定の間隔（例えば、２００〜５００ｍｍ）で、複数の貫通孔１１２を有する。貫通孔１１２は、チューブ１１０内部の前記液体をチューブ１１０外に吐出する吐出口１１２である。吐出口１１２の孔の形状および大きさは、前記液体を吐出できればよく、特に限定されない。吐出口１１２の孔の形状は、例えば、円形であり、その直径は、例えば、１．５ｍｍである。
【００２６】
チューブ１１０の内壁において、各吐出口１１２に対応する位置に、複数のエミッタ１２０が配置される。チューブ１１０の軸方向に対する垂直方向における断面の形状および断面積は、特に制限されず、その内部にエミッタ１２０を配置できればよい。
【００２７】
点滴灌漑用チューブ１００の使用時において、エミッタ１２０は、例えば、チューブ１１０から脱離しないように配置されていればよい。エミッタ１２０は、例えば、チューブ１１０に接合されており、点滴灌漑用チューブ１００は、例えば、エミッタ１２０の裏面（後述する図２における１３８）を、チューブ１１０の内壁に接合することで作製できる。チューブ１１０とエミッタ１２０との接合方法は、特に限定されず、例えば、エミッタ１２０またはチューブ１１０を構成する樹脂材料の溶着、接着剤による接着等があげられる。点滴灌漑用チューブ１００において、吐出口１１２は、例えば、チューブ１１０にエミッタ１２０を配置した後に形成してもよいし、チューブ１１０にエミッタ１２０を配置する前に、チューブ１１０に形成してもよい。
【００２８】
つぎに、エミッタ１２０について説明する。ここで、エミッタ１２０の表面側とは、チューブ１１０に配置した際、チューブ１１０の内部空間側の面側であり、エミッタ１２０の裏面側とは、チューブ１１０に配置した際、チューブの内壁側に対向する面側である。
【００２９】
図２は、エミッタ１２０の概略を示す斜視図であり、図２（Ａ）は、エミッタ１２０を表面１３９側から見た斜視図であり、図２（Ｂ）は、エミッタ１２０を裏面１３８側から見た斜視図である。便宜上、エミッタ１２０の長手方向において、フィルムが配置されていない側を上流、フィルム１２４が配置されている側を下流という。前記上流および下流は、エミッタ１２０内における液体の流れを示すものではなく、あくまでも説明における便宜上の定義である。図２（Ａ）と（Ｂ）において、エミッタ１２０の向きは、図中の矢印Ａで示し、矢尻が上流、矢先が下流である（以下、同様）。
【００３０】
図３は、エミッタ１２０の概略を示す平面図であり、図３（Ａ）は、エミッタ１２０の上面図（表面側の平面図）であり、図３（Ｂ）および図３（Ｃ）は、エミッタ１２０について、フィルム１２４が、ヒンジ部１２６を介して、フィルム１２４以外のエミッタ本体１２２に接続されており、フィルム１２４をエミッタ本体１２２上に配置する前の状態を示す概略図である。具体的に、図３（Ｂ）は、表面側から見た平面図であり、図３（Ｃ）は、裏面側から見た平面図である。
【００３１】
図４は、エミッタ１２０の概略を示す断面図であり、図４（Ａ）は、図３（Ａ）におけるＩ−Ｉ方向の断面図であり、図４（Ｂ）は、図４（Ａ）における点線で囲んだ領域の部分断面図、つまり、調整部１３５付近の部分断面図である。
【００３２】
図１に示すように、エミッタ１２０は、チューブの内部において、吐出口１１２を覆うように内壁に配置されている。エミッタ１２０の全体の形状は、例えば、チューブ１１０の内壁に密着して、吐出口１１２を覆うことができればよく、特に制限されない。本実施形態において、エミッタ１２０は、その平面形状が、例えば、四隅がＲ面取りされた略矩形である。エミッタ１２０は、チューブ１１０の軸方向に対する垂直方向における断面において、チューブ１１０の内壁に接合する裏面１３８が、凸部を有し、前記凸部は、チューブ１１０の内壁に沿うように、チューブ１１０の内壁に向かって略円弧形状である。エミッタ１２０の全体の大きさは、特に限定されず、例えば、長手方向の長さは２５ｍｍ、短手方向の長さは８ｍｍ、上下方向の高さは２．５ｍｍが例示できる。
【００３３】
エミッタ１２０は、フィルム１２４がエミッタ本体１２２に配置されることで形成される。フィルム１２４とエミッタ本体１２２とは、図３（Ａ）および（Ｂ）に示すように、例えば、ヒンジ部１２６を介して接続されてもよく、エミッタ本体１２２とフィルム１２４とは、一体成型品でもよい。この場合、フィルム１２４を、ヒンジ部１２６を軸として、エミッタ本体１２２側に回転させ、エミッタ本体１２２上に配置し、固定すればよい。ヒンジ部１２６は、例えば、エミッタ本体１２２にフィルム１２４を固定した後で、切断して除去してもよい。フィルム１２４とヒンジ部１２６の厚みは、特に制限されず、例えば、同じ厚みである。フィルム１２４の厚みは、特に制限されず、例えば、０．３ｍｍである。
【００３４】
エミッタ本体１２２とフィルム１２４とは、例えば、別個に形成し、エミッタ本体１２２上にフィルム１２４を配置し、固定してもよい。エミッタ本体１２２とフィルム１２４との固定方法は、特に制限されず、例えば、エミッタ本体１２２またはフィルム１２４を構成する材料による溶着、接着剤による接着等があげられる。フィルム１２４において、エミッタ本体１２２に固定する箇所は、特に制限されず、例えば、フィルム１２４におけるダイヤフラム部よりも外側の領域である。
【００３５】
エミッタ本体１２２は、例えば、可撓性を有することが好ましく、可撓性材料で形成されていることが好ましい。また、フィルム１２４は、後述するように、ダイヤフラム部を有することから、可撓性を有することが好ましく、可撓性材料で形成されていることが好ましく、前記可撓性材料としては、例えば、熱可塑性樹脂があげられる。エミッタ本体１２２とフィルム１２４とは、例えば、同一材料で形成されてもよいし、別個の材料で形成されてもよく、前述のように一体的に形成される場合、同一材料であることが好ましい。前記可撓性材料は、例えば、一種類でもよいし、二種類以上を含んでもよい。前記可撓性材料は、例えば、樹脂およびゴム等があげられ、前記樹脂は、例えば、ポリエチレンおよびシリコーン等があげられる。前記熱可塑性樹脂は、例えば、ポリエチレンがあげられる。エミッタ本体１２２またはフィルム１２４の可撓性は、例えば、弾性樹脂等の弾性を有する材料の使用によって調整できる。可撓性の調整方法は、特に制限されず、例えば、弾性樹脂の選択、硬質樹脂等の硬質材料に対する前記弾性材料の混合比の調整等があげられる。
【００３６】
エミッタ１２０は、取込部１３１、調整部１３５、吐出部１３７、および、流路１４３を有している。エミッタ１２０において、例えば、上流側は、取込部１３１を有する領域であり、下流側は、調整部１３５および吐出部１３７を有する領域であり、前記両領域は、流路１４３で連通されている。
【００３７】
取込部１３１は、チューブ１１０内の前記液体を内部に導入する部位であり、エミッタ１２０において表面１３９側に設けられている。エミッタ１２０の表面１３９側と裏面１３８側との境を、エミッタ１２０の土台部とした場合、図２（Ａ）、図３（Ａ）および（Ｂ）に示すように、エミッタ１２０の上流側において、エミッタ本体１２２の土台部は、その外縁に、上方向に突出した凸状の外壁部を有し、取込用凹部１５３を形成している。取込用凹部１５３の外壁部は、複数のスリット１５４を有する。また、エミッタ１２０の土台部は、取込用凹部１５３の内部領域に、長手方向に伸びる第１凸部１５７、および、短手方向の両端に伸びる複数の第２凸部１５６を有する。そして、エミッタ１２０の土台部、すなわち、取込用凹部１５３の底面は、短手方向の両端に伸びる複数の凸部１５６と直交する長手方向に、裏面１３８側に通じる一対の取込用貫通孔１５２を有する。エミッタ１２０において、取込用凹部１５３と、前記外壁部のスリット１５４、凸部群１５５（第１凸部１５７および第２凸部１５６）は、例えば、後述するように、液体を内部に流入させ且つ前記液体中の浮遊物の侵入を防止できることから、スクリーン部１５１ともいい、スクリーン部１５１と、一対の取込用貫通孔１５２とが、エミッタ１２０における取込部１３１となる。
【００３８】
前記外壁部で囲まれる取込用凹部１５３の深さは、特に制限されず、例えば、エミッタ１２０の大きさによって適宜設定できる。
【００３９】
前記外壁部におけるスリット１５４の形状は、特に制限されず、前述のように、浮遊物の侵入を防止できる形状であることが好ましい。図２（Ａ）および図３（Ａ）において、スリット１５４は、取込用凹部１５３の外壁部において、外側の側面から内側の側面に向かって、徐々に幅が大きくなるような形状である。スリット１５４は、例えば、このようなウェッジワイヤー構造が好ましい。スリット１５４が前記構造の場合、例えば、取込用凹部１５３において、内部に流入した液体の圧力損失を抑制することができる。
【００４０】
凸部群１５５の位置および数は、特に制限されず、前述のように、前記液体を流入させ且つ前記液体中の浮遊物の侵入を防止する機能を発揮する形態であることが好ましい。第１凸部１５６は、例えば、エミッタ本体１２２の表面１３９から取込用凹部１５３の底面に向かって、徐々に幅が小さくなるような形状である。すなわち、複数の第１凸部１５６は、それら配列方向において、隣接する第１凸部１５６間の空間が、いわゆるウェッジワイヤー構造であることが好ましい。第１凸部１５６間の空間が前記構造の場合、例えば、取込用凹部１５３において、内部に流入した液体の圧力損失を抑制することができる。隣接する第１凸部１５６間の距離は、特に制限されず、例えば、前述の機能を発揮する条件であることが好ましい。
【００４１】
第２凸部１５７は、例えば、第１凸部１５６と同様に、エミッタ本体１２２の表面１３９から取込用凹部１５３の底面に向かって、徐々に幅が小さくなるような形状でもよいし、エミッタ本体１２２の表面１３９から取込用凹部１５３の底面まで、同じ幅の形状でもよい。
【００４２】
一対の取込用貫通孔１５２の形状および数は、特に制限されず、例えば、スクリーン部１５１を介して、取込用凹部１５３に取り込まれた液体を、エミッタ１２０の内部、すなわち、エミッタ１２０の裏面１３８側に取り込むことができる形態である。一対の取込用貫通孔１５２は、それぞれ、前述のように、エミッタ１２０の土台部（取込用凹部１５３の底面）において、第２凸部１５６と直交する長手方向に沿って設けられた長孔である。図３（Ｂ）において、一対の取込用貫通孔１５２は、それぞれ、複数の貫通孔が長手方向に沿って存在するように見えるが、これは、長孔の貫通孔１５２の上側に、複数の第１凸部１５６が存在するためであり、図２（Ｂ）に示すように、貫通孔１５２は、本実施形態において長孔である。
【００４３】
流路１４３は、取込部１３１と調整部１３５とを連通する流路であり、エミッタ１２０の裏面１３８側に設けられている。図２（Ｂ）、図３（Ｃ）に示すように、エミッタ１２０の裏面１３８側において、エミッタ１２０の土台部は、外縁に、上方向に突出した凸状の外壁部を有し、外壁部で囲まれる凹部を有する。そして、エミッタ１２０の裏面１３８側において、前記凹部の外壁部の内側に沿って、略Ｕ字状の溝１３２、および、短手方向の中心を通り長手方向に沿って、ジグザグ形状の溝１３３を有する。エミッタ１２０において、溝１３２および溝１３３が、流路１４３となる。具体的には、エミッタ１２０をチューブ１１０に配置した際、溝１３２および溝１３３と、チューブ１１０の内壁との間の空間が、流路１４３となる。略Ｕ字状の溝１３２は、取込部１３１における一対の取込用貫通孔１５２間を連通する溝である。ジグザグ形状の溝１３３は、略Ｕ字状の溝１３２の中央部と前記土台部における貫通孔１６１とを連通する溝であり、このジグザグ形状によって、エミッタ１２０内を通過する液体の圧力を減圧することができる。このため、溝１３３の領域が、流路１４３における減圧領域１３３となる。前記土台部における貫通孔１６１は、後述するように、調整部１３５への連通孔である。
【００４４】
溝１３２は、例えば、取込部１３１との接続部であることから、接続溝１３２ともいい、流路１４３において、接続溝１３２で構成される領域は、接続領域１３２ともいう。また、溝１３３は、例えば、接続溝１３２と前記調整部とを接続し、内部に取り込んだ液体の圧力を、接続溝１３２から調整部１３５に移動させる間に、減圧することが可能であることから、減圧溝１３３ともいい、流路１４３において、減圧溝１３３で構成される領域は、減圧領域１３３ともいう。
【００４５】
減圧領域１３３は、例えば、調整部１３５よりも上流側に配置されている。減圧領域１３３の形状は、例えば、平面視形状が、図２（Ｂ）に示すように、ジグザグ形状でもよいし、直線状でもよいし、曲線状でもよい。溝１３３は、例えば、使用時において、エミッタ１２０の内部を通過する液体の圧力を減圧する機能を奏することから、例えば、ジグザグ状が好ましい。減圧溝１３３は、例えば、その内部の側面に、複数の凸部１６２を有しており、複数の凸部１６２は、液体が流れる方向に沿って、両方の側面から、中心側に向かって交互に突出している。凸部１６２の形状は、例えば、略三角柱形状である。凸部１６２は、例えば、平面視した際に、その先端が減圧溝１３３の中心軸を超えないように配置されている。
【００４６】
調整部１３５は、エミッタ１２０の内部に取り込んだ液体の吐出量を調整する部であり、エミッタ１２０の表面１３９側であって、下流側に設けられている。図２（Ｂ）、図３（Ｂ）および（Ｃ）、図４（Ａ）に示すように、エミッタ１２０の土台部は、その中心付近に、流路１４３に連通する貫通孔１６１を有し、その下流側に、吐出部１３７に連通する貫通孔１７４を有する。前者の貫通孔１６１は、調整用凹部１７１内に液体を導入する孔であり、以下、導入用貫通孔１６１ともいい、後者の貫通孔１７４は、調整用凹部１７１内から液体を導出する孔であり、調整用貫通孔または導出用貫通孔ともいう。そして、エミッタ１２０の表面１３９側において、エミッタ１２０の土台部は、調整用凹部１７１を有し、調整用凹部１７１の内部空間を覆う状態で、フィルム１２４が固定されている。本実施形態では、前記土台部が調整用凹部１７１の底面であり、前記底面は、調整用貫通孔１７４と、導入用貫通孔１６１とを有し、さらに、調整用貫通孔１７４の上面側開口１７２ｂの周囲に、表面１３９側に突出する凸状の調整用筒状領域１７２を有する。さらに、エミッタ本体１２２の表面１３９側には、前述のように、フィルム１２４が、調整用凹部１７１の内部を覆うように配置されている。エミッタ１２０において、調整用凹部１７１と、調整用筒状領域１７２と、フィルム１２４（ダイヤフラム部１７５）と、調整用貫通孔１７４とが、調整部１３５となる。
【００４７】
フィルム１２４は、調整用凹部１７１の内部空間を覆う状態で、固定されていればよく、その固定位置は、前述のように、特に制限されない。フィルム１２４において、調整用凹部１７１を覆う領域が、ダイヤフラム部１７５である。つまり、ダイヤフラム部１７５により、調整用凹部１７１における側壁上面の内側の縁部１７１ａで囲まれる領域が、覆われる。エミッタ１２０は、フィルム１２４におけるダイヤフラム部１７５により、調整用凹部１７１の内部が、チューブ１１０の内部と仕切られている。
【００４８】
調整用貫通孔１７４の上面側開口１７２ｂの形状は、調整用筒状領域１７２の上面における内側の縁部により規定されている。調整用筒状領域１７２の上面における内側の縁部は、フィルム１２４に対する弁座部１７２ａである。使用時において、チューブ１１０内に液体が存在しない状態では、調整用凹部１７１を覆うフィルム１２４は、調整用筒状領域１７２の弁座部１７２ａに非接触である。同状態において、フィルム１２４は、例えば、調整用凹部１７１における上面側開口の縁部１７１ａに接触した状態でもよいし、非接触の状態でもよい。そして、使用時において、チューブ１１０内に前記液体が存在すると、チューブ１１０内の前記液体の圧力に応じて、フィルム１２４は、調整用筒状領域１７２の弁座部１７２ａに接触（密着）するように変形する。具体的には、前記液体の圧力が高くなるにつれて、フィルム１２４は、下方向にたわむように変形する。この際、フィルム１２４は、例えば、調整用凹部１７１における上面側開口の縁部１７１ａに接触した後、調整用筒状領域１７２の弁座部１７２ａに接触する。このため、エミッタ１２０の上下方向において、調整用凹部１７１の上面側開口を形成する縁部１７１ａの高さは、調整用貫通孔１７４の上面側開口１７２ｂを形成する弁座部１７２ａの高さよりも高い。なお、チューブ１１０内に液体が存在しない状態で、フィルム１２４は、調整用凹部１７１における上面側開口の縁部１７１ａに接触していてもよい。調整用凹部１７１における上面側開口の縁部１７１ａを、以下、支持部ともいう。
【００４９】
調整用凹部１７１の軸方向とは、その底面に対する垂直方向であり、エミッタ１２０の上下方向である。また、調整用筒状領域１７２の軸方向は、調整用凹部１７１の軸方向と同じ方向であり、調整用筒状領域１７２の中空の軸方向である。
【００５０】
調整用貫通孔１７４の上面側開口１７２ｂの形状は、例えば、円状でもよいし、角状でもよく、調整用筒状領域１７２は、例えば、円筒状でもよいし、角筒状でもよい。
【００５１】
調整用筒状領域１７２は、その凸部（側壁）の上面に、複数のスリット１７３を有し、複数のスリット１７３は、調整用筒状領域１７２の内部と外部を連通する。図５の上図に示すように、チューブ１１０内の液体による圧力がフィルム１２４にかかっていない場合、フィルム１２４は、調整用筒状領域１７２の弁座部１７２ａには接触していない。他方、チューブ１１０内の液体による圧力がフィルム１２４にかかると、図５の下図に示すように、フィルム１２４の下方向へのたわみが生じ、フィルム１２４は、調整用筒状領域１７２の弁座部１７２ａの全周に接触するようになる。しかし、調整用筒状領域１７２の弁座部１７２ａの全周にフィルム１２４が接触しても、調整用筒状領域１７２の側壁における複数のスリット１７３は、フィルム１２４によって閉塞されない。このため、弁座部１７２ａ間において、フィルム１２４と各スリット１７３とにより、調整用貫通孔１７４への連通口が形成され、各スリット１７３が、調整用貫通孔１７４への流路となる。したがって、フィルム１２４が、調整用凹部１７１の弁座部１７２ａの全周に接触しても、導入用貫通孔１６１を介して調整用凹部１７１に導入された液体は、複数のスリット１７３を介して（すなわち、各スリット１７３を流路として通り、各スリット１７３とフィルムとによる各連通口を通過して）、さらに調整用貫通孔１７４を通過し、後述する吐出部１３７に送られる。
【００５２】
調整用筒状領域１７２は、例えば、図４（Ａ）および（Ｂ）に示すように、その上面が、エミッタ１２０の底面に対して平行でもよいし（フラットともいう）、図４（Ｃ）に示すように、テーパ状でもよい。図４（Ｃ）は、調整用筒状領域の形状が異なる以外は、図４（Ｂ）と同じである。図４（Ｃ）において、調整用筒状領域２７２の上面は、上面側開口２７２ｂの弁座部２７２ａから、その周囲に向かってテーパ状に広がっており、そのテーパ面に、複数のスリット２７３が形成されている。本発明のエミッタにおいて、例えば、フィルム１２４のたわみによって、フィルム１２４とスリット１７３とによる長い流路を形成しやすいことから、前記上面はフラットであることが好ましい。
【００５３】
スリット１７３の大きさは、特に制限されず、前記条件（１）を満たせばよい。
条件（１）：エミッタにおいて、スリットが１本である場合に必要な、前記フィルムと前記スリットとにより形成される前記連通口の断面積（ａ）を１とした場合、前記フィルムと前記各スリットとにより形成される前記貫通孔への連通口の各断面積（ｂ）が、１未満である。
【００５４】
本発明のエミッタは、各連通口を、前記条件（１）を満たす形状とすることで、液体の流れが層流となるレイノルズ数を実現できる。各スリット１７３で形成される各流路のレイノルズ数は、例えば、１５００以下であり、好ましくは、前記レイノルズ数は、１０００以下、７５０以下、５００以下である。レイノルズ数（Ｒｅ）は、下記式で表される。
Ｒｅ＝Ｖ・Ｌ／μ
Ｖ：流速
Ｌ：代表長さ
μ：液体の粘性係数
【００５５】
前記式において、Ｌの代表長さは、式「Ｌ＝４×断面積／周長」で表される。前記断面積とは、前記連通口の断面の面積であり、前記周長とは、前記連通口の断面の周の長さである。前記連通口の断面が、例えば、その断面形状が四角形であり、幅ａ、高さｂである場合、Ｌ＝４×（ａ×ｂ）／（２ａ＋２ｂ）で表すことができる。
【００５６】
前記条件（１）において、断面積（ａ）を１とした場合、前記各断面積（ｂ）は、例えば、例えば、０．６以下、０．４以下、０．３以下である。
【００５７】
スリットが１本のエミッタ（Ｓ）から、任意の体積の液体を調整して吐出するには、前記調整部において、スリットとフィルムとにより形成される連通口の大きさを、前記任意の体積の液体が吐出される大きさに設計する必要がある。そこで、同様の体積の液体を調整するエミッタとして、複数のスリットを有する本発明のエミッタ（Ｐ）を構成する場合は、エミッタ（Ｓ）よりも、スリットの数を増やし、且つ、各スリットで形成される流路を細くする、すなわち、前記連通口の断面積を小さくすることで、レイノルズ数を低下させて層流とし、且つ、同程度の体積の液体の吐出も確保することができる。
【００５８】
エミッタ１２０において、スリット１７３の個数は、特に制限されず、その下限が、例えば、２個以上、４個以上、８個以上であり、その上限が、例えば、２０個以下、１５個以下、１０個以下である。図３（Ｂ）において、スリット１７３が８本の形態を示したが、これには制限されない。
【００５９】
スリット１７３の形状は、特に制限されず、例えば、図３（Ｂ）に示すように、調整用筒状領域１７２における側壁の上面の一部が、前記側壁の内側から外側に向かって欠失している形状があげられる。スリット１７３の大きさは、前記条件（１）を満たせば、特に制限されない。スリットが１本のエミッタ（Ｓ）において、スリットの深さが０．１〜０．２ｍｍの場合、本実施形態のエミッタ１２０において、スリット１７３の深さは、それより浅く、例えば、０．０３〜０．０５ｍｍであり、スリットが１本のエミッタ（Ｓ）において、スリットの幅が０．３〜０．４ｍｍの場合、本実施形態のエミッタ１２０において、スリット１７３の幅は、それより狭く、例えば、０．２〜０．３ｍｍである。調整用筒状領域１７２の深さは、特に制限されず、例えば、スリット１７３の深さより大きければよい。
【００６０】
ここで、図６に、比較として、スリットが一本のエミッタを示す。図６のエミッタは、スリット３７３が一本であり、その大きさが異なる以外は、図３の本実施形態のエミッタ１２０と同様である。また、図７（Ａ）の断面図に、本実施形態のエミッタ１２０においてフィルム１２４がたわんで、調整用筒状領域１７２の弁座部１７２ａに接触している状態を示し、図７（Ｂ）の断面図に、比較のエミッタにおいてフィルム１２４がたわんで、調整用筒状領域１７２の弁座部１７２ａに接触している状態を示す。図３の平面図に示すように、本実施形態のエミッタ１２０は、複数のスリット１７３を有し、スリット１７３の幅が、図６の比較のエミッタにおけるスリット３７３よりも狭い。そして、図７（Ａ）の断面図に示すように、本実施形態のエミッタ１２０は、スリット１７３の深さ（すなわち、流路の深さ）が、図７（Ｂ）の比較のエミッタにおけるスリット３７３よりも浅い。このため、本実施形態のエミッタ１２０において、各スリットから形成される流路は、比較のエミッタよりも細く、各スリットから形成される連通口は、比較のエミッタよりも小さい。これにより、本実施形態のエミッタ１２０は、比較のエミッタよりも、小さいレイノルズ数が実現でき、比較のエミッタでは乱流であった液体の流れを、層流にすることができる。
【００６１】
吐出部１３７は、エミッタ１２０の内部に取り込んだ液体を、チューブ１１０の吐出口１１２を介して吐出する部位であり、エミッタ１２０において裏面１３８側に設けられている。図２（Ｂ）、図３（Ｂ）および（Ｃ）に示すように、エミッタ１２０の裏面１３８側であり且つ下流側において、エミッタ本体１２２の土台部は、吐出用凹部１９１を有する。本実施形態では、前記土台部が吐出用凹部１９１の底面であり、吐出用凹部１９１の底面であって上流側に、調整部１３５における調整用貫通孔１７４を有する。エミッタ１２０において、吐出用凹部１９１の空間が吐出部１３７となる。具体的には、エミッタ１２０を、チューブ１１０内において、吐出口１１２を有する位置に配置した際、吐出用凹部１９１とチューブ１１０の内壁との間の空間が、チューブ１１０の吐出口１１２と連通する吐出部１３７となる。
【００６２】
吐出用凹部１９１の形状は、特に制限されず、例えば、平面視形状が略矩形である。吐出用凹部１９１は、例えば、図２（Ｂ）および図３（Ｃ）に示すように、その底面において、調整用貫通孔１７４の下流側であって、チューブ１１０の吐出口１１２に対応する箇所よりも上流側に、複数の凸部１９３を有してもよい。複数の凸部１９３は、幅方向に沿って配置されている。これらの凸部１９３は、例えば、後述するように、凸部１９３間に液体を通過させ且つ前記液体中の浮遊物等の異物が通過することを防止できる。
【００６３】
つぎに、エミッタ１２０と、エミッタ１２０をチューブ１１０に配置した点滴灌漑用チューブ１００の機能について説明する。
【００６４】
まず、点滴灌漑用チューブ１００のチューブ１１０内に灌漑用液体が送液される。灌漑用液体は、特に制限されず、例えば、水、液体肥料、農薬、およびこれらの混合液等があげられる。チューブ１１０へ送液される前記液体の圧力は、特に制限されず、例えば、より簡易に点滴灌漑法を実施でき、また、チューブ１１０およびエミッタ１２０の破損をより防止するため、０．１ＭＰａ以下が好ましい。
【００６５】
チューブ１１０内に導入された前記液体は、エミッタ１２０の取込部１３１からエミッタ１２０内に取り込まれる。具体的には、前記液体は、エミッタ１２０において、スリット１５４または第１凸部１５６間の隙間から、取込用凹部１５３に入り込み、取込用貫通孔１５２を通過して、表面１３９側から裏面１３８側に移動する。取込部１３１がスクリーン部１５１を有する場合、例えば、取込用凹部１５３のスリット１５４、および第１凸部１５６間の隙間等によって、前記液体中の浮遊物等を除去できる。また、取込部１３１において、例えば、スリット１５４、第１凸部１５６間が前記ウェッジワイヤー構造をとることによって、取込部１３１への水の取り込み時における水の圧力損失を、より抑制できる。
【００６６】
取込部１３１に取り込まれた前記液体は、取込用貫通孔１５２を通過して、流路１４３における接続領域１３２に到達する。そして、前記液体は、接続領域１３２から減圧領域１３３に流れこむ。
【００６７】
減圧領域１３３に流れ込んだ前記液体は、貫通孔１６１を通過して、調整部１３５に移動する。具体的には、前記液体は、貫通孔１６１から、調整部１３５における調整用凹部１７１と調整用筒状領域１７２との間の領域に移動する。そして、調整部１３５に移動した前記液体は、調整用貫通孔１７４を通過して、吐出部１３７に移動する。この際、調整部１３５による、吐出部１３７へ流れる前記液体の流量の制御が、エミッタ１２０から、チューブ１１０の吐出口１１２を介して、チューブ１１０外に吐出される液体の流量の制御に関連する。調整部１３５における流量の制御について、図５を用いて説明する。
【００６８】
図５の上図は、フィルム１２４に、チューブ１１０内の液体による圧力がかかっていない状態である。チューブ１１０内の液体によりフィルム１２４に圧力がかかると、フィルム１２４の下方向へのたわみが生じる。そして、フィルム１２４に、さらに圧力がかかると、フィルム１２４は、さらにたわみ、図５の下図に示すように、調整用筒状領域１７２の弁座部１７２ａの全周に接触するようになる。これによって、複数のスリット１７３を除いて、調整用筒状領域１７２の開口が、フィルム１２４により閉塞されることになる。そして、調整用筒状領域１７２の開口が閉塞した後は、スリット１７３を介して、液体が吐出部に吐出される。
【００６９】
そして、調整部１３５で調整された前記液体は、調整部１３５から貫通孔１７４を介して、吐出部１３７に移動する。エミッタ１２０は、吐出部１３７が、チューブ１１０の吐出口１１２と対応箇所に配置されているため、吐出部１３７に移動した液体は、チューブ１１０の吐出口１１２を介して、チューブ１１０の外に吐出される。
【００７０】
本発明のエミッタにおいて、調整用貫通孔の周囲に、前記筒状領域を有するか否かは、特に制限されない。前記筒状領域は、例えば、前記凹部において、フィルムのダイヤフラム部を規定する前記支持部と前記弁座部との間の高さの調整に利用できる。すなわち、前記筒状領域の有無は、例えば、フィルムのダイヤフラム部を規定する前記凹部の支持部と、前記弁座部との間における、所望のクリアランスに応じて、設けてもよいし、設けなくてもよい。具体例として、圧力補正のタイミングを相対的に遅らせたい場合は、例えば、前記筒状領域を設けることなく、前記凹部の底面をフラットに設定してもよい。
【００７１】
［実施形態２］
本実施形態のエミッタは、前記条件（２）を満たすことを特徴とする。前記条件（２）におけるレイノルズ数は、前記実施形態１の記載を援用できる。本発明のエミッタは、前記条件（２）を満たせばよく、その構成は何ら制限されない。
【実施例】
【００７２】
つぎに、本発明の実施例について説明する。ただし、本発明は、下記実施例により制限されない。
【００７３】
［実施例１］
まず、実施例のエミッタとして、図３に示す形状であり、且つ、下記条件を満たすエミッタを想定した。
スリットの数：８本
各スリットの大きさ；幅０．２５ｍｍ×深さ０．０３５ｍｍ
【００７４】
そして、図３に示すエミッタについて、図５の下図に示すように、フィルム１２４は、調整用筒状領域１７２の弁座部１７２ａの全周に接触するが、８本のスリット１７３は閉塞されない状態において、一定の圧力Ｘで水を通過させた場合における、前記エミッタの各スリットにおける乱流エネルギー（Ｊ／ｋｇ）をシミュレーションにより算出した。水の温度は、１０℃と４０℃に設定した。その結果、水の温度にかかわらず、各スリットにおける乱流エネルギーは、約０．１６未満であり、各スリットにおけるレイノルズ数は、４００であった。
【００７５】
また、前記一定の圧力Ｘで水を通過させた場合における、１時間あたりの流量を算出した。そして、１０℃の水を使用した流量Ｖ（１０℃）を１として、４０℃の水を使用した流量Ｖ（４０℃）の相対値を求めた。この結果、４０℃の水を使用した場合の流量Ｖ（４０℃）は、１０℃の水を使用した流量Ｖ（１０℃）の１．３８倍であった。
【００７６】
つぎに、比較例のエミッタとして、図６に示す形状であり、且つ、下記条件を満たすエミッタを想定した。
スリットの数：１本
各スリットの大きさ；幅０．３ｍｍ×深さ０．１ｍｍ
【００７７】
そして、図６に示すエミッタについて、図７に示すように、フィルム１２４は、調整用筒状領域１７２の弁座部の全周に接触するが、１本のスリット３７３は閉塞されない状態において、前記一定の圧力Ｘで水を通過させた場合における、前記エミッタのスリットにおける乱流エネルギー（Ｊ／ｋｇ）をシミュレーションにより算出した。水の温度は、１０℃と４０℃に設定した。その結果、水の温度にかかわらず、各スリットにおける乱流エネルギーは、約２．０〜３．０であり、各スリットにおけるレイノルズ数は、２１００であった。
【００７８】
また、前記一定の圧力Ｘで水を通過させた場合における、１時間あたりの流量を算出した。そして、１０℃の水を使用した流量Ｖ（１０℃）を１として、４０℃の水を使用した流量Ｖ（４０℃）の相対値を求めた。この結果、４０℃の水を使用した場合の流量Ｖ（４０℃）は、１０℃の水を使用した流量Ｖ（１０℃）の１．０６倍であった。
【００７９】
このように、比較例１のエミッタは、乱流が生じ、レイノルズ数も高く、また、通過させる水の温度を１０℃から４０℃に上昇させても、流量の温度依存性は、１．０６倍と非常に低かった。これに対して、実施例１のエミッタは、乱流の発生が抑制され、レイノルズ数も低く、また、通過させる水の温度を１０℃から４０℃に上昇させた場合、流量の温度依存性も１．３８倍と、著しい向上を示した。
【００８０】
このため、前記条件（１）および（２）の少なくとも一方を満たすエミッタとすることによって、流量の温度依存性を向上できるため、吐出量の低下を防止することが可能となる。
【００８１】
以上、実施形態および実施例を参照して、本発明を説明したが、本発明は、上記発明のスコープ内で当業者が理解し得る様々な変更をすることができる。また、本明細書で引用する特許文献および学術文献等の文献に記載の内容は、全て引用により本明細書に取り込むものとする。
【産業上の利用可能性】
【００８２】
本発明のエミッタおよび点滴灌漑用チューブによれば、点滴灌漑用チューブ内の液体の温度が原因となる前記液体の吐出量のバラツキを抑制できる。
【符号の説明】
【００８３】
１００    点滴灌漑用チューブ
１１０    チューブ
１１２    吐出口
１２０    エミッタ
１２２    エミッタ本体
１２４    フィルム
１２６    ヒンジ部
１３１    取込部
１３２    接続領域
１３３    減圧領域
１３５、３３５    調整部
１３７    吐出部
１３８    裏面
１３９    表面
１４３    流路
１５１    取込用スクリーン部
１５２    取込用貫通孔
１５３    取込用凹部
１５４    スリット
１５５    凸部
１５６    第１凸部
１５７    第２凸部
１６１    貫通孔
１６２    凸部
１７１    調整用凹部
１７１ａ    支持部（縁部）
１７２    調整用筒状領域
１７２ａ    弁座部
１７２ｂ  貫通孔の上面開口
１７３    スリット
１７４    貫通孔
１７５    ダイヤフラム部
１９１    吐出用凹部
１９３    凸部
３２０    エミッタ
３７３    スリット
【図１】
2018201425.tif 000003
【図２】
2018201425.tif 000004
【図３】
2018201425.tif 000005
【図４】
2018201425.tif 000006
【図５】
2018201425.tif 000007
【図６】
2018201425.tif 000008
【図７】
2018201425.tif 000009